(57)【要約】【課題】  イメージセンサを構成するイメージセンサチップに位置ずれがあっても適切に補正可能な画像読取装置を提供する。【解決手段】  複数の撮像素子を含むイメージセンサチップ（２００Ａ及び２００Ｂ）を複数含んで構成されるイメージセンサ（１１０）と、前記原稿と前記イメージセンサとを移動可能に構成された駆動部（１２０）と、副走査方向において所定の間隔を示唆するずれ検出パターン（４２１〜４３１、または４４０）が形成されたキャリブレーションシート（４００）と、前記キャリブレーションシートの読み取りによって検出された前記ずれ検出パターンの検出間隔が予め設定された理想間隔と異なるとき、該検出間隔と該理想間隔との差分に基づいてスケーリングによる補正を行った画像を生成可能に構成された画像処理部（１３０）と、を備えることを特徴とする画像読取装置を提供する。【選択図】  図１
2016021601.tif 000002
【特許請求の範囲】
【請求項１】
原稿上の画像を読み取り可能に構成された、複数の撮像素子を含むイメージセンサチップを複数含んで構成されるイメージセンサと、
前記原稿と前記イメージセンサとを主走査方向に相対的に移動可能に構成された駆動部と、
前記主走査方向に対して垂直な副走査方向において所定の間隔を示唆するずれ検出パターンが形成されたキャリブレーションシートと、
前記イメージセンサによる前記キャリブレーションシートの読み取りによって検出された前記ずれ検出パターンの検出間隔が予め設定された理想間隔と異なるとき、該検出間隔と該理想間隔との差分に基づいて、前記イメージセンサによる読み取り画像に対するスケーリングによる補正を行った補正読み取り画像を生成可能に構成された画像処理部と、を備える
ことを特徴とする画像読取装置。
【請求項２】
前記ずれ検出パターンは、前記副走査方向における前記イメージセンサチップのつなぎ目を挟む位置に複数形成されたパターンである
ことを特徴とする請求項１に記載の画像読取装置。
【請求項３】
前記ずれ検出パターンは、前記副走査方向について傾きを持って直線状に形成されたパターンである
ことを特徴とする請求項１に記載の画像読取装置。
【発明の詳細な説明】
【技術分野】
【０００１】
本発明の一態様は、原稿上の画像を読み取る画像読取装置に関し、特に、読み取った画像のずれを補正可能な画像読取装置に関する。
【背景技術】
【０００２】
従来から、イメージセンサを利用して原稿上の画像を読み取る画像読取装置では、複数のイメージセンサチップが結合されたイメージセンサを採用している。このとき、隣り合って配置されたイメージセンサチップにおける配置状態にずれが生じ、その結果、イメージセンサで読み取った原稿上の画像がすれることがあった。特許文献１には、このような画像の位置ずれに対して、カラム単位で補完する技術について開示されている。
【先行技術文献】
【特許文献】
【０００３】
【特許文献１】特開２０１３−４２３４５号公報
【発明の概要】
【発明が解決しようとする課題】
【０００４】
しかしながら、上記従来の画像読取装置では、イメージセンサで読み取った画像のずれを想定していないものが多かった。また、上記特許文献１には、画像のずれに対してカラム単位で補完する技術について開示されているものの、このようなカラム単位の補完のためには特殊なアルゴリズムが必要となるため、専用のハードウェアを用いるか、またはソフトウェアで処理する場合には長い処理時間を要していた。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
原稿上の画像を読み取り可能に構成された、複数の撮像素子を含むイメージセンサチップ（２００Ａ及び２００Ｂ）を複数含んで構成されるイメージセンサ（１１０）と、
前記原稿と前記イメージセンサとを主走査方向に相対的に移動可能に構成された駆動部（１２０）と、
前記主走査方向に対して垂直な副走査方向において所定の間隔を示唆するずれ検出パターン（４２１〜４３１、または４４０）が形成されたキャリブレーションシート（４００）と、
前記イメージセンサによる前記キャリブレーションシートの読み取りによって検出された前記ずれ検出パターンの検出間隔が予め設定された理想間隔と異なるとき、該検出間隔と該理想間隔との差分に基づいて、前記イメージセンサによる読み取り画像に対するスケーリングによる補正を行った補正読み取り画像を生成可能に構成された画像処理部（１３０）と、を備える
ことを特徴とする画像読取装置である。
【０００７】
上記構成の画像読取装置によれば、イメージセンサチップ間のずれにより読み取り画像のずれが発生した場合であっても、スケーリングにより補正を実行するため、比較的簡単で、かつ短時間で画像のずれの補正を実行可能となる。
【０００８】
本発明の手段２では、
前記ずれ検出パターンは、前記副走査方向における前記イメージセンサチップ（２００Ａ及び２００Ｂ）のつなぎ目を挟む位置に複数形成されたパターン（４２１〜４３１）である
ことを特徴とする手段１の画像読取装置である。
【０００９】
上記構成の画像読取装置によれば、所定の位置に複数形成されたずれ検出パターン（４２１〜４３１）により、イメージセンサチップ（２００Ａ及び２００Ｂ）のつなぎ目に発生したずれに基づく読み取り画像のずれを補正することができる。
【００１０】
本発明の手段３では、
前記ずれ検出パターンは、前記副走査方向について傾きを持って直線状に形成されたパターン（４４０）である
ことを特徴とする手段１の画像読取装置である。
【００１１】
上記構成の画像読取装置によれば、斜めの直線状に形成されたずれ検出パターン（４４０）を利用して、イメージセンサチップ（２００Ａ及び２００Ｂ）のつなぎ目に発生したずれに基づく読み取り画像のずれを補正することができる。また、比較的容易な製造工程により、ずれ検出パターンを形成することが可能となる。
【図面の簡単な説明】
【００１２】
【図１】画像読取装置の構成例を示す図。
【図２】イメージセンサの構成例を示す図。
【図３】イメージセンサによる読み取り結果の具体例を示す図。
【図４】キャリブレーションシートの構成例を示す図。
【図５】イメージセンサによる読み取り結果の具体例を示す図。
【図６】キャリブレーションシートと原稿とを示す図。
【図７】実施形態２のキャリブレーションシートの構成例を示す図。
【発明を実施するための形態】
【００１３】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）画像読取装置の構成例
（２）画像読取装置の動作例
２．実施形態２
３．補足事項
４．本発明の特徴
【００１４】
＜１．実施形態１＞
まず、本発明の実施形態１について、図１乃至図６を参照しながら説明する。
【００１５】
＜（１）画像読取装置の構成例＞
図１は、本実施形態の画像読取装置の構成例を示す図である。図１に示すように、本実施形態の画像読取装置は、制御部１００、イメージセンサ１１０、駆動部１２０、画像処理部１３０、及びメモリ１４０を含んで構成される。
【００１６】
＜制御部１００＞
制御部１００は、ユーザからの操作入力に基づいて、イメージセンサ１１０及び駆動部１２０を制御して、読み取り対象の原稿上に形成された画像を読み取り、読み取った画像の画像データをメモリ１４０に記憶させることができるよう構成される。このとき、制御部１００は、所定の条件の下、この画像データを画像処理部１３０によって読み取り画像を補正する画像処理を実行させた後、補正後の補正読み取り画像をメモリ１４０に記憶させることができるよう構成される。また、制御部１００は、原稿の読み取り、及び必要な場合には上記の画像処理が完了した後、メモリ１４０に記憶された読み取り結果の画像データを、ユーザによって指定された記憶媒体に送信することができるよう構成される。
【００１７】
より具体的には、制御部１００は、イメージセンサ１１０によるキャリブレーションシート４００（後述）に形成されたずれ検出パターンの読み取り結果に基づいて、予め設定された理想結果と同一か否かを判定する。ここで、読み取り結果と理想結果とが相違していた場合、制御部１００は、イメージセンサ１１０の配置にずれがあると判定する。以降の原稿の読み取りの際には、制御部１００は、読み取り結果の画像データと、検出されたずれの量を示す情報を画像処理部１３０に出力し、画像データに対する補正処理を実行させる。この、読み取り結果の画像データに対する補正処理の具体例については後述する。
【００１８】
＜イメージセンサ１１０＞
図２は、イメージセンサ１１０の構成例を示す図である。イメージセンサ１１０は、一般に知られるＣＩＳ（Ｃｏｎｔａｃｔ  Ｉｍａｇｅ  Ｓｅｎｓｏｒ）であり、図２に示すように、複数のイメージセンサチップ２００Ａ及び２００Ｂを含んで構成される。図２には、２のイメージセンサチップ２００Ａ及び２００Ｂが示されているが、イメージセンサチップの数はいくつでもよい。本実施形態のイメージセンサ１１０では、後述するように１１のイメージセンサチップを含んで構成されている。
【００１９】
イメージセンサチップ２００Ａ及び２００Ｂは、それぞれが光源（例えばＬＥＤ）、受光レンズ、及び撮像素子であるＣＭＯＳイメージセンサを含んで構成される。イメージセンサ１１０は、主走査方向に対して垂直な方向である副走査方向において、読み取り対象の原稿が載置されるガラスの幅と同程度の長さを有する。なお、主走査方向と副走査方向とによって形成される平面は、読み取り対象の原稿と平行な平面となる。イメージセンサ１１０は、この原稿が載置されるガラス下部の空間に配置される。イメージセンサ１１０は、駆動部１２０からの入力電流により主走査方向に移動しながら、ガラスに載置された原稿に対して光源から光を照射し、この照射光に対する原稿からの反射光を、受光レンズを介してＣＭＯＳイメージセンサが受光し、受光した反射光に基づいて原稿上の画像（文字及び記号などを含む）を読取り可能に構成される。光源からの光の照射は、制御部１００からの入力信号により制御される。イメージセンサ１１０は、読み取った原稿上の画像をディジタルデータに変換し、このディジタルデータである画像データを制御部１００に出力可能に構成される。
【００２０】
図２に示すように、互いに隣り合って配置されたイメージセンサチップ２００Ａ及び２００Ｂには、製造工程で、それらの配置にずれが生じる場合がある。このイメージセンサチップの位置ずれは、イメージセンサの仕様上、許容せざるを得ないものがある。しかしながら、イメージセンサチップ２００Ａと２００Ｂとの位置ずれにより、原稿の読み取り結果にずれが生じる場合がある。
【００２１】
図３は、イメージセンサ１１０による原稿上の画像の読み取り結果の具体例を示す図である。図３（ａ）は、正常な、すなわちイメージセンサチップ２００Ａ及び２００Ｂの配置にずれが発生していないときの読み取り結果（３００）を、図３（ｂ）は、イメージセンサチップ２００Ａ及び２００Ｂの配置にずれが発生し、間隔が広くなっているときの読み取り結果（３１０）を示している。すなわち、原稿上の画像は斜めの直線であるにもかかわらず、イメージセンサチップ２００Ａと２００Ｂとの間隔が広くなってしまっているため、原稿上の画像の副走査方向の１ピクセル分を読み取ることができず、図３（ｂ）に示すように読み取り結果の画像にずれが生じる。例えば、図３（ａ）に示すように実際は４ピクセルの斜め直線であるにも関わらず、３ピクセルの非線形なずれのある線として読取ってしまうこととなる。このような場合の画像の補正処理については後述する。
【００２２】
＜駆動部１２０＞
駆動部１２０は、制御部１００からの入力信号に基づき、イメージセンサ１１０を主走査方向に移動させるための電流を生成し、この電流をイメージセンサ１１０に出力可能に構成される。この駆動部１２０から出力される電流は、実際にはイメージセンサ１１０を移動させるために配置されたステッピングモータ（図示せず）に入力され、このステッピングモータによってイメージセンサ１１０が主走査方向に移動させられる。
【００２３】
＜画像処理部１３０＞
画像処理部１３０は、制御部１００から入力された画像データ、及びずれの量を示す情報に基づいて、画像データに対するスケーリング処理による補正を実行し、この処理によって得られた補正読み取り画像を制御部１００に出力可能に構成される。画像処理部１３０におけるスケーリング処理による補正の具体例については後述する。
【００２４】
＜メモリ１４０＞
メモリ１４０は、制御部１００から入力された画像データを記憶することができるよう構成される。また、メモリ１４０は、制御部１００からの要求に応じて、画像データを制御部１００に出力可能に構成される。
【００２５】
＜キャリブレーションシート４００＞
図４は、本実施形態のキャリブレーションシート４００の構成例を示す図である。キャリブレーションシート４００は、画像読取装置において原稿が載置されるガラスの下の空間の所定の位置に固定されて配置されている。キャリブレーションシート４００には、ホームポジションパターン４１０及びずれ検出パターン４２１乃至４３１が黒色の印刷によって形成されている。ホームポジションパターン４１０は、イメージセンサ１１０がホームポジションである基準位置を検出するために用いられる。
【００２６】
ずれ検出パターン４２１乃至４３１は、キャリブレーションシート４００上の副走査方向（イメージセンサ１１０が移動する主走査方向に垂直な方向）に所定の間隔ごとに並べて配置されており、その配置間隔及びパターンの幅はそれぞれ同一である。ずれ検出パターン４２１乃至４３１は、イメージセンサ１１０が備える各イメージセンサチップの中央部に対向するよう配置されている。これにより、隣り合った２のずれ検出パターンの間隔（ピクセル数）を算出すれば、イメージセンサチップが理想間隔に対してずれているか否かを判定可能となる。また、隣り合ったずれ検出パターンではなく、任意の２のずれ検出パターンの間隔（ピクセル数）を算出しても、これらの２のずれ検出パターンにそれぞれ対応するイメージセンサチップの間でずれが発生していることを検出可能である。
【００２７】
図５は、イメージセンサチップ２００Ａ及び２００Ｂによる、ずれ検出パターン４２１及び４２２の読み取り結果の具体例を示す図である。図５に記載された格子は、それぞれ１ピクセル幅を示している。図５に示されるように、ずれ検出パターン４２１及び４２２の幅は２ピクセル、間隔は９ピクセルとなっている。ここで、イメージセンサチップ２００Ａと２００Ｂとの理想間隔が１０ピクセルであった場合、イメージセンサチップ２００Ａと２００Ｂとは、理想間隔に対して１ピクセルだけ近接して配置されている状態であることが判る。
【００２８】
＜（２）画像読取装置の動作例＞
ここで、図６を参照しながら、実施形態１における画像読取装置の動作例について説明する。
【００２９】
まず、ユーザが画像読取装置を起動したら、画像読取装置はイメージセンサチップのずれ補正設定の決定処理を実行する。この、イメージセンサチップのずれ補正設定は、イメージセンサ１１０に配置されたイメージセンサチップの位置ずれを補正する補正処理を画像処理部１３０で実行されるための設定であり、画像読取装置の初回起動時に決定処理が実行される。次回以降の画像読取装置の起動時には、初回起動時に設定されたずれ補正設定を利用する。
【００３０】
イメージセンサチップのずれ補正設定の決定処理が実行されると、制御部１００は、イメージセンサ１１０及び駆動部１２０に対して、キャリブレーションシート４００上のずれ検出パターンを読み取るよう指示する。
【００３１】
図６は、キャリブレーションシート４００と原稿５００との位置関係を示す図である。図６に示すように、本実施形態の画像読取装置では、原稿５００を読み取る際に、ずれ検出パターン４２２乃至４３０に対応するイメージセンサチップを用いる。すなわち、ずれ検出パターン４２１及び４３１に対応するイメージセンサチップは、原稿５００の読み取りには不要である。上記の制御部１００から指示に応答して、駆動部１２０はイメージセンサ１１０を主走査方向に移動させ、イメージセンサ１１０は、光源からの発光がキャリブレーションシート４００で反射された反射光をＣＭＯＳイメージセンサで読み取る。イメージセンサ１１０は、読み取ったずれ検出パターン４２２乃至４３０の画像を、制御部１００に逐次出力する。制御部１００は、この画像データをメモリ１４０に記憶させる。
【００３２】
イメージセンサ１１０によるずれ検出パターン４２２乃至４３０の読み取りが完了したら、制御部１００は、読み取り結果であるメモリ１４０に記憶された画像データを読み出し、ずれ検出パターン４２２と４３０との間のピクセル数を検出する。ここで検出されたずれ検出パターン４２２と４３０との間のピクセル数が、理想的なピクセル数と異なっていた場合、ずれ検出パターン４２２乃至４３０にそれぞれ対応するイメージセンサチップの間には、間隔のずれが生じていることとなる。したがって、制御部１００は、画像読取装置による原稿上の画像を読み取る際には、画像処理部１３０による以下のスケーリング処理を実行することと設定する。
【００３３】
ここで、画像処理部１３０によるスケーリング処理の具体例について説明する。制御部１００は、上記処理の結果得られたずれ検出パターン４２２と４３０との間のピクセル数（Ｘ）と、理想的なピクセル数（Ｙ）とに基づいて、（Ｙ／Ｘ）によって算出されるスケーリング係数を決定する。具体的には、ずれ検出パターン４２２と４３０との間のピクセル数Ｘ＝９９であり、理想的なピクセル数Ｙ＝１００であったばあい、スケーリング係数は１００／９９となる。
【００３４】
画像処理部１３０は、上記の計算によって決定されたスケーリング係数に基づいて、読み取り画像に対して副走査方向についてのスケーリング処理（補正）を行い、補正読み取り画像を生成する。これによって、イメージセンサ１１０に配置されたイメージセンサチップの間隔にずれが生じていたとしても、スケーリング処理による補正（補完または間引き）が可能となり、ユーザは補正された読み取り画像を得ることができる。
【００３５】
そして、イメージセンサチップのずれ補正設定の決定処理が終了した後、ユーザが画像読取装置により原稿の読み取りを実行したら、制御部１００は、イメージセンサ１１０及び駆動部１２０の制御によりイメージセンサ１１０から入力された画像データを、画像処理部１３０に出力する。画像処理部１３０は、上記のスケーリング係数を用いたスケーリング処理を実行し、生成された補正読み取り画像を制御部１００に出力する。制御部１００は、この補正読み取り画像をメモリ１４０に記憶させる。その後、ユーザからの指示に応じてこの補正読み取り画像を、指定された記憶媒体に送信する。
【００３６】
＜２．実施形態２＞
次に、本発明の実施形態２について、図７を参照しながら説明する。本実施形態は、実施形態１と比較して、ずれ検出パターンの形状が異なっている。以下の説明では、実施形態１との相違点についてのみ具体的に説明し、実施形態１と同様の構成や機能についてはその説明を省略する。
【００３７】
＜ずれ検出パターン４４０＞
図７は、本実施形態のキャリブレーションシート４００の構成例を示す図である。本実施形態のキャリブレーションシート４００には、ホームポジションパターン４１０、及びずれ検出パターン４４０が黒色の印刷によって形成されている。図７に示されるように、ずれ検出パターン４４０は、副走査方向に対してやや傾きを持った直線状の印刷として形成される。このずれ検出パターン４４０は直線状に形成されているため、イメージセンサ１１０のイメージセンサチップの配置にずれがあれば直線ではない非線形な線が検出されるため、当該非線形な位置にイメージセンサチップの間のずれが発生していることを検出可能である。
【００３８】
本実施形態の画像読取装置は、上記のようなずれ検出パターン４４０を利用して、非線形な部分を検出することで、実施形態１と同様に、画像処理部１３０による読み取り画像の補正の実行が可能となる。
【００３９】
＜３．補足事項＞
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【００４０】
上記実施形態では、ずれ検出パターン４２１乃至４３１（図４参照）及びずれ検出パターン４４０（図７参照）を具体例として挙げて説明したが、ずれ検出パターンはこれらのパターンに限定されるものではない。例えば、イメージセンサチップの両端付近に対向する位置に配置されたパターンや、正弦波状のパターンなどであってもよい。また、ずれ検出パターンは必ずしもホームポジションパターンと同じキャリブレーションシート上に配置されている必要はなく、ずれ検出パターンのみが配置された別のキャリブレーションシートを準備してもよい。
【００４１】
また、ずれ検出パターンを利用したずれ補正設定の実行は、ユーザによる画像読取装置の起動時ではなく、製造工程において実行されてもよい。この場合、ユーザは購入後にずれ補正設定を実行する必要がない。また、このずれ補正設定の実行は、画像読取装置の初回起動時のみならず、所定の期間毎（１週間毎など）に定期的に実行されてもよい。これによれば、経年劣化によるイメージセンサチップのずれなどに対応することも可能となる。
【００４２】
また、上記のように製造工程において、ずれ検出パターンを利用したずれ補正設定の決定処理を実行する場合、ユーザが使用する画像形成装置が必ずしもずれ検出パターンを含むキャリブレーションシートを備える必要はない。すなわち、製造工程で、このようなずれ検出パターンを備えるキャリブレーションシートを利用してずれ補正設定の決定処理を実行し、その後にはずれ補正設定は実行しないようにしてもよい。
【００４３】
また、画像読取装置が外部機器との通信を実行可能な通信部をさらに備え、この通信部を介して画像読取装置に接続された計算機（ＰＣ）から、ユーザが画像読取装置を操作するような構成としてもよい。この場合、制御部１００は、計算機（ＰＣ）によるユーザの操作入力を受信することで、所定の処理を実行する。また、画像処理部１３０による画像の補正は、計算機（ＰＣ）におけるソフトウェアで実行されるようにしてもよい。このとき、画像読取装置の制御部１００から計算機（ＰＣ）に対しては、スケーリング処理に必要な情報が送信される。
【００４４】
なお、本実施形態の画像読取装置は、読取った画像データをメモリ１４０に記憶させるのみならず、記録媒体への画像の形成（印刷）を実行する機能を持たせることによって、印刷機器または複写機（画像形成装置）としての機能を実行させることが可能である。このような構成の印刷機器または複写機では、一般的な印刷機器または複写機が備える、記録媒体にインクを塗布して画像を形成するための構成及び機能を備える。
【００４５】
また、駆動部１２０は、イメージセンサ１１０を動かす代わりに、原稿を搬送可能に構成された搬送ローラーを動かすことで、イメージセンサ１１０と原稿とを相対的に主走査方向に変位させてもよい。
【００４６】
また、イメージセンサチップが備える光源は、ＬＥＤ以外の光源であってもよい。
【００４７】
＜４．本発明の特徴＞
以上、説明したような構成の記録装置は以下のような特徴を持つ。
【００４８】
本発明の画像読取装置は、原稿上の画像を読み取り可能に構成された、複数の撮像素子を含むイメージセンサチップ（２００Ａ及び２００Ｂ）を複数含んで構成されるイメージセンサ１１０と、原稿とイメージセンサ１１０とを主走査方向に相対的に移動可能に構成された駆動部１２０と、主走査方向に対して垂直な副走査方向において所定の間隔を示唆するずれ検出パターン（４２１〜４３１、または４４０）が形成されたキャリブレーションシート４００と、イメージセンサ１１０によるキャリブレーションシート４００の読み取りによって検出されたずれ検出パターン（４２１〜４３１、または４００）の検出間隔が予め設定された理想間隔と異なるとき、該検出間隔と該理想間隔との差分に基づいて、イメージセンサ１１０による読み取り画像に対するスケーリングによる補正を行った補正読み取り画像を生成可能に構成された画像処理部１３０と、を備えることを特徴とする。
【００４９】
上記構成の画像読取装置によれば、イメージセンサチップ間のずれにより読み取り画像のずれが発生した場合であっても、画像処理部１３０がスケーリングにより画像の補正を実行するため、比較的簡単で、かつ短時間で画像のずれの補正を実行可能となる。
【００５０】
また、本発明の画像読取装置では、ずれ検出パターンは、副走査方向におけるイメージセンサチップ（２００Ａ及び２００Ｂ）のつなぎ目を挟む位置に複数形成されたパターン（４２１〜４３１）であることを特徴とする。
【００５１】
上記構成の画像読取装置によれば、所定の位置に複数形成されたずれ検出パターン（４２１〜４３１）により、イメージセンサチップ（２００Ａ及び２００Ｂ）のつなぎ目に発生したずれに基づく読み取り画像のずれを補正することができる。
【００５２】
また、本発明の画像読取装置では、ずれ検出パターンは、副走査方向について傾きを持って直線状に形成されたパターン（４４０）であることを特徴とする。
【００５３】
上記構成の画像読取装置によれば、斜めの直線状に形成されたずれ検出パターン（４４０）を利用して、イメージセンサチップ（２００Ａ及び２００Ｂ）のつなぎ目に発生したずれに基づく読み取り画像のずれを補正することができる。また、比較的容易な製造工程により、ずれ検出パターンを形成することが可能となる。
【産業上の利用可能性】
【００５４】
本発明は、画像読取装置または画像読取機能を備えるプリンタ複合機などとして好適に適用される。
【符号の説明】
【００５５】
１００…制御部
１１０…イメージセンサ
１２０…駆動部
１３０…画像処理部
１４０…メモリ
２００Ａ、２００Ｂ…イメージセンサチップ
４００…キャリブレーションシート
４１０…ホームポジションパターン
４２１〜４３１、４４０…ずれ検出パターン
５００…原稿
【図１】
2016021601.tif 000003
【図２】
2016021601.tif 000004
【図３】
2016021601.tif 000005
【図４】
2016021601.tif 000006
【図５】
2016021601.tif 000007
【図６】
2016021601.tif 000008
【図７】
2016021601.tif 000009